(57)【特許請求の範囲】
【請求項１】
少なくとも１枚のシートからなるシート体と、
該シート体を支持するフレーム体と、
帯状をなし、その長手方向と交差する方向に延びる紐固定用ステッチ列で長手方向中途部が上記シート体に縫い合わされて固定された紐とを備え、
該紐を上記フレーム体に括り付けることによって当該フレーム体に上記シート体を固定するよう構成されているテントであって、
上記紐の表面側に位置するとともに上記紐固定用ステッチ列よりも幅広で、且つ、上記紐固定用ステッチ列に沿って帯状に延び、当該紐固定用ステッチ列を覆うように、且つ、上記紐を表面側から跨ぐように上記シート体に貼り付ける可撓性第１粘着テープと、
上記紐における一方側及び他方側の裏面側にそれぞれ位置するとともに上記紐固定用ステッチ列に沿って帯状に延び、上記紐固定用ステッチ列を境に上記紐の一方側を他方側に折り返した状態で、その折り返した部分を裏面側から跨ぐようにシート体に貼り付けるとともに、上記紐固定用ステッチ列を境に上記紐の他方側を一方側に折り返した状態で、その折り返した部分を裏面側から跨ぐようにシート体に貼り付ける一対の可撓性第２粘着テープとを備え、
上記第１粘着テープの幅方向両側に位置する各領域は、幅方向に切り目を２つずつ入れることにより上記紐に対応して当該紐の表面側に貼り付く紐表面側対応部と上記紐に対応しない紐表面側非対応部とにそれぞれ分けられ、
上記第２粘着テープの幅方向片側に位置する領域は、幅方向に切り目を２つ入れることにより上記紐に対応して当該紐の裏面側に貼り付く紐裏面側対応部と上記紐に対応しない紐裏面側非対応部とに分けられ、
上記第１粘着テープの幅方向一方側の紐表面側非対応部及び一方の上記第２粘着テープの紐裏面側非対応部は、互いに重なり合った状態で上記シート体に貼り付けられ、
上記第１粘着テープの幅方向他方側の紐表面側非対応部及び他方の上記第２粘着テープの紐裏面側非対応部は、互いに重なり合った状態で上記シート体に貼り付けられることを特徴とするテント。
【請求項２】
請求項１に記載のテントにおいて、
上記シート体は、人が出入りできる空間を内部に有するインナーテントと、該インナーテントを上方から覆うように設けられたフライシートとを備え、
上記フレーム体は、上記インナーテントと上記フライシートとの間に位置するフライシート用フレームを有し、
上記紐は、上記フライシートの裏面側に固定され、且つ、上記フライシート用フレームに括り付けられていることを特徴とするテント。
【請求項３】
請求項２に記載のテントにおいて、
上記フライシートは、複数枚のシートをシート縫製用ステッチ列で繋ぎ合わせて形成され、
上記紐は、上記シート縫製用ステッチ列と交差するように上記シート体に宛がった状態で上記紐固定用ステッチ列により上記シート体に縫い合わされて固定されており、
上記第１粘着テープは、防水仕様であり、上記シート縫製用ステッチ列及び上記紐固定用ステッチ列の両方を覆うように上記シート体に貼り付けることを特徴とするテント。
【請求項４】
請求項１から３のいずれか１つに記載のテントにおいて、
上記紐表面側対応部を形成する２つの切り目間の長さは、上記紐裏面側対応部を形成する２つの切り目間の長さと同じであることを特徴とするテント。
【請求項５】
請求項４に記載のテントにおいて、
上記紐表面側対応部を形成する２つの切り目間の長さ及び上記紐裏面側対応部を形成する２つの切り目間の長さは、上記紐の幅より長く設定されていることを特徴とするテント。
【発明の詳細な説明】
【技術分野】
【０００１】
本発明は、シートや複数本のフレーム等を用いて組み立てるテントに関する。
【背景技術】
【０００２】
従来より、例えば、特許文献１に開示されているテントは、複数のフレームを組み合わせて作られたフレーム体と、該フレーム体に吊り下げられ、人が出入りできる空間を内部に有するインナーテントと、上記フレーム体を上方から覆うように設けられたフライシートとを備え、該フライシートは、一般的に、当該フライシート裏面に取り付けられた紐を上記フレーム体に括り付けることによって当該フレーム体に固定される。
【０００３】
ところで、上記フライシートは、複数枚のシートを縫糸によるシート縫製ステッチ列で繋ぎ合わせて形成されており、上記フライシートを上記フレーム体に括り付ける紐は、デザイン上、当該紐をシート縫製ステッチ列に跨るように宛がった状態で当該シート縫製用ステッチ列に重なるように紐固定用ステッチ列でフライシートに縫い合わせて固定されることが多い。上記紐は、例えば、図１２に示すように、シート縫製用ステッチ列１５と交差するようにフライシート１１裏面に宛がった状態において、シート縫製用ステッチ列１５に重なるように紐固定用ステッチ列１６でフライシート１１に縫い合わされている。そして、シート縫製用ステッチ列１５及び紐固定用ステッチ列１６を覆うように、且つ、紐１２を跨ぐように防水仕様の帯状粘着テープ１３を上記フライシート１１に貼り付け、上記粘着テープ１３によって雨水や結露がシート縫製用ステッチ列１５及び紐固定用ステッチ列１６を介してテント内部に浸入するのを防ぐようになっている。
【先行技術文献】
【特許文献】
【０００４】
【特許文献１】特開２０１３−２４９７３１号公報
【発明の概要】
【発明が解決しようとする課題】
【０００５】
しかし、図１２のように、上記フライシート１１に貼り付けられた粘着テープ１３の紐１２に対応する部分（図１２におけるＢ部）は、テントを組み立てる際に上記紐１２をフレーム体１４に括り付けると上記フライシート１１から離間する方向に力が加わってしまう。そして、テントを繰り返し組み立てると、上記粘着テープ１３の粘着力が低下して当該粘着テープ１３の上記紐１２に対応する部分が上記フライシート１１から離間して紐１２とフライシート１１との間に隙間が形成されてしまい、ひいては、雨水や結露がシート縫製用ステッチ列１５及び紐固定用ステッチ列１６を介してテント内部に浸入してしまうことになってしまう。
【０００６】
本発明は斯かる点に鑑みてなされたものであり、その目的とするところは、テントの組み立てを繰り返し行っても、雨水や結露がテントのシート体に形成されたステッチ列を介してテント内部に浸入するといったことを確実に防ぐことができるテントを提供することにある。
【課題を解決するための手段】
【０００７】
上記の目的を達成するために、本発明は、シート体に縫製によって取り付けられた紐周りの防水の仕方に工夫を凝らしたことを特徴とする。
【０００８】
具体的には、少なくとも１枚のシートからなるシート体と、該シート体を支持するフレーム体と、帯状をなし、その長手方向と交差する方向に延びる紐固定用ステッチ列で長手方向中途部が上記シート体に縫い合わされて固定された紐とを備え、該紐を上記フレーム体に括り付けることによって当該フレーム体に上記シート体を固定するよう構成されているテントにおいて、次のような解決手段を講じた。
【０００９】
すなわち、第１の発明では、上記紐の表面側に位置するとともに上記紐固定用ステッチ列よりも幅広で、且つ、上記紐固定用ステッチ列に沿って帯状に延び、当該紐固定用ステッチ列を覆うように、且つ、上記紐を表面側から跨ぐように上記シート体に貼り付ける可撓性第１粘着テープと、上記紐における一方側及び他方側の裏面側にそれぞれ位置するとともに上記紐固定用ステッチ列に沿って帯状に延び、上記紐固定用ステッチ列を境に上記紐の一方側を他方側に折り返した状態で、その折り返した部分を裏面側から跨ぐようにシート体に貼り付けるとともに、上記紐固定用ステッチ列を境に上記紐の他方側を一方側に折り返した状態で、その折り返した部分を裏面側から跨ぐようにシート体に貼り付ける一対の可撓性第２粘着テープとを備え、上記第１粘着テープの幅方向両側に位置する各領域は、幅方向に切り目を２つずつ入れることにより上記紐に対応して当該紐の表面側に貼り付く紐表面側対応部と上記紐に対応しない紐表面側非対応部とにそれぞれ分けられ、上記第２粘着テープの幅方向片側に位置する領域は、幅方向に切り目を２つ入れることにより上記紐に対応して当該紐の裏面側に貼り付く紐裏面側対応部と上記紐に対応しない紐裏面側非対応部とに分けられ、上記第１粘着テープの幅方向一方側の紐表面側非対応部及び一方の上記第２粘着テープの紐裏面側非対応部は、互いに重なり合った状態で上記シート体に貼り付けられ、上記第１粘着テープの幅方向他方側の紐表面側非対応部及び他方の上記第２粘着テープの紐裏面側非対応部は、互いに重なり合った状態で上記シート体に貼り付けられることを特徴とする。
【００１０】
第２の発明では、第１の発明において、上記シート体は、人が出入りできる空間を内部に有するインナーテントと、該インナーテントを上方から覆うように設けられたフライシートとを備え、上記フレーム体は、上記インナーテントと上記フライシートとの間に位置するフライシート用フレームを有し、上記紐は、上記フライシートの裏面側に固定され、且つ、上記フライシート用フレームに括り付けられていることを特徴とする。
【００１１】
第３の発明では、第２の発明において、上記フライシートは、複数枚のシートをシート縫製用ステッチ列で繋ぎ合わせて形成され、上記紐は、上記シート縫製用ステッチ列と交差するように上記シート体に宛がった状態で上記紐固定用ステッチ列により上記シート体に縫い合わされて固定されており、上記第１粘着テープは、防水仕様であり、上記シート縫製用ステッチ列及び上記紐固定用ステッチ列の両方を覆うように上記シート体に貼り付けることを特徴とする。
【００１２】
第４の発明では、第１から第３のいずれか１つの発明において、上記紐表面側対応部を形成する２つの切り目間の長さは、上記紐裏面側対応部を形成する２つの切り目間の長さと同じであることを特徴とする。
【００１３】
第５の発明では、第４の発明において、上記紐表面側対応部を形成する２つの切り目間の長さ及び上記紐裏面側対応部を形成する２つの切り目間の長さは、上記紐の幅より長いことを特徴とする。
【発明の効果】
【００１４】
第１の発明では、第１粘着テープによって紐の表面とシート体とが互いに繋がるだけでなく、２つの第２粘着テープによって紐の裏面とシート体とが互いに繋がるので、第１粘着テープに対してシート体から離間する方向に力が加わった際、第１粘着テープだけでなく両第２粘着テープも加えた３つの粘着テープの粘着力によって第１粘着テープをシート体側に引っ張るようになる。したがって、紐をフレーム体に括り付ける作業を繰り返し行っても、紐がシート体から離間しなくなり、雨水や結露が紐固定用ステッチ列を介して紐の裏面とシート体との間からテント内部に浸入するといったことを防ぐことができる。また、第２粘着テープは、紐の裏面とシート体とに貼り付いているので、第２粘着テープが紐の裏面とシート体との間を橋絡するようになり、もし仮に、雨水や結露がステッチを介して紐の裏面とシート体との間に浸入したとしても、紐の裏面とシート体との間を橋絡する第２粘着テープによって雨水や結露がそれ以上テント内部に浸入することができない。さらに、第１粘着テープ及び第２粘着テープの紐に隣り合う部分がシート体に重なって貼り付けられるので、第１及び第２粘着テープに対してシート体から離間する方向に力が加わっても、第１及び第２粘着テープのうちのシート体側に位置する粘着テープがもう一方の粘着テープによって押さえ付けられてシート体から剥がれ難くなる。したがって、紐によって第１及び第２粘着テープに対してシート体から離間する方向に力が加わっても、第１及び第２粘着テープがシート体から剥がれて紐とシート体との間に隙間ができてしまうといったことを確実に防ぐことができる。
【００１５】
第２の発明では、雨水が直接降り注いだり結露が発生し易い状態で使用されるフライシートに紐が取り付けられた場合であっても、確実に雨水や結露をテント内部に浸入させないようにできる。
【００１６】
第３の発明では、紐固定用ステッチ列を介して雨水や結露がテント内に浸入するのをフライシートにおけるシートの繋ぎ合わせ部分から雨水や結露がテント内に浸入するのを防ぐための粘着テープを利用して防ぐので、紐固定用ステッチ列とシート縫製用ステッチ列とに対してそれぞれ粘着テープを用意する必要が無く、部品点数を抑えてコストを低く抑えることができる。
【００１７】
第４の発明では、第１粘着テープ及び第２粘着テープの粘着部分が剥き出しにならないので、剥き出しになった粘着部分がシート体に付着して紐をフレーム体に括り付ける際に邪魔になるといったことを防ぐことができる。
【００１８】
第５の発明では、第１粘着テープの紐表面側対応部と第２粘着テープの紐裏面側対応部とがそれぞれ紐の表裏面に貼り付いた際、紐表面側対応部の両端部分と紐裏面側対応部の両端部分とが紐からはみ出て互いに直接貼り合わされるようになる。したがって、紐の全周を紐表面側対応部と紐裏面側対応部とで囲うようになり、ステッチ列を介して紐の裏面とシート体との間から浸入する雨水や結露を確実にテント内部に浸入させないようにできる。
【図面の簡単な説明】
【００１９】
【図１】本発明の実施形態１に係るテントの斜視図である。
【図２】図１のII−II線における断面図である。
【図３】紐のシート体への取り付け部分に防水処理を施す手順を示す斜視図であり、ステッチ列を覆うように第１粘着テープをシート体に貼り付けた状態を示す。
【図４】図３の作業の後、紐の両側端縁に対応する第１粘着テープの一方の側端縁に切り目を２つ入れるとともに紐の一方側を他方側に折り返した状態を示す。
【図５】図４の作業の後、第１粘着テープの一方側の側端縁を覆うように１つ目の第２粘着テープを第１粘着テープ、紐の裏面側の一部及びシート体に貼り付けた状態を示す。
【図６】図５の作業の後、紐の両側端縁に対応する１つ目の第２粘着テープの片側の側端縁に切り目を２つ入れるとともに紐を展開した状態を示す。
【図７】図６の作業の後、紐の両側端縁に対応する第１粘着テープの他方の側端縁に切り目を２つ入れるとともに紐の他方側を一方側に折り返した状態を示す。
【図８】図７の作業の後、第１粘着テープの他方側の側端縁を覆うように２つ目の第２粘着テープを第１粘着テープ、紐の裏面側の一部及びシート体に貼り付けた状態を示す。
【図９】図８の作業の後、紐の両側端縁に対応する２つ目の第２粘着テープの片側の側端縁に切り目を２つ入れるとともに紐を展開して紐のシート体への取り付けが終了した状態を示す。
【図１０】本発明の実施形態２に係る図９相当図である。
【図１１】本発明の実施形態３に係る図９相当図である。
【図１２】従来のシート体に取り付けられた紐周りの構造を示すテント内部の断面図である。
【発明を実施するための形態】
【００２０】
以下、本発明の実施形態を図面に基づいて詳細に説明する。尚、以下の好ましい実施形態の説明は、本質的に例示に過ぎない。
《発明の実施形態１》
図１は、本発明の実施形態１に係るテント１を示す。該テント１は、所謂ダブルウォールテントと呼ばれるものであり、アーチ状をなす２つのアルミニウム合金製のフレームを平面視で放射状に延びるように組み合わせて作られた第１フレーム２ａと、該第１フレーム２ａの頂部に固定され、水平方向に直線状に延びるアルミニウム合金製の第２フレーム２ｂ（フライシート用フレーム）とを有するフレーム体２と、上記第１フレーム２ａの内方に吊り下げられ、人が出入りできる空間を内部に有するインナーテント３（シート体）と、上記フレーム体２を覆うように設けられたフライシート４（シート体）とを備え、上記インナーテント３及び上記フライシート４は、複数のペグ５によって地面に固定されるようになっている。すなわち、上記フレーム体２は、上記インナーテント３及び上記フライシート４を支持しており、上記第２フレーム２ｂは、上記インナーテント３と上記フライシート４との間に位置している。
【００２１】
上記フライシート４は、複数枚の合成繊維からなるシート４ａを縫糸によるシート縫製用ステッチ列９で繋ぎ合わせることにより形成されている。
【００２２】
上記フライシート４におけるインナーテント３側のシート縫製用ステッチ列９が形成されている位置には、例えば、図２に示すように、帯状をなす合成繊維からなる紐６が上記シート縫製用ステッチ列９と交差するように上記フライシート４の上記シート縫製用ステッチ列９が施された部分に宛がった状態で紐固定用ステッチ列２０により上記フライシート４に縫い合わされて固定されている。
【００２３】
すなわち、上記紐固定用ステッチ列２０は、紐６の長手方向と交差する方向に延びており、紐６の長手方向中途部が上記フライシート４に固定されている。
【００２４】
そして、上記紐６を上記フレーム体２の第２フレーム２ｂに括り付けることによって当該第２フレーム２ｂにフライシート４を固定するようになっている。
【００２５】
上記紐６の上記フライシート４に取り付けられた部分は、可撓性を有する１つの帯状の第１シームテープ７（第１粘着テープ）と、可撓性を有する２つの帯状の第２シームテープ８（第２粘着テープ）とで防水処理が施されている。
【００２６】
上記第１シームテープ７は、図３に示すように、上記紐６の表面側に位置にするとともに上記シート縫製用ステッチ列９及び上記紐固定用ステッチ列２０よりも幅広で、且つ、上記シート縫製用ステッチ列９及び上記紐固定用ステッチ列２０に沿って延びていて、当該シート縫製用ステッチ列９及び紐固定用ステッチ列２０の両方を覆うように、且つ、上記紐６を表面側から跨いで上記フライシート４に貼り付けられている。
【００２７】
上記第１シームテープ７の幅方向両側に位置する各領域Ｒ１は、図４及び図７に示すように、幅方向に上記シート縫製用ステッチ列９及び上記紐固定用ステッチ列２０に届くか届かない位置まで切り目Ｃ１を２つずつ入れることにより上記紐６に対応して当該紐６の表面側に貼り付く紐表面側対応部７ａと上記紐６に対応しない紐表面側非対応部７ｂとにそれぞれ分けられている。
【００２８】
一方、上記第２シームテープ８は、上記紐６における一方側及び他方側の裏面側に位置するとともに上記シート縫製用ステッチ列９及び上記紐固定用ステッチ列２０に沿って延びていて、図５及び図８に示すように、上記シート縫製用ステッチ列９及び上記紐固定用ステッチ列２０を境に上記紐６の一方側を他方側に折り返した状態で、その折り返した部分を裏面側から一方の第２シームテープ８で跨ぐように当該一方の第２シームテープ８を上記フライシート４に貼り付けるとともに、上記シート縫製用ステッチ列９及び上記紐固定用ステッチ列２０を境に上記紐６の他方側を一方側に折り返した状態で、その折り返した部分を裏面側から他方の第２シームテープ８で跨ぐように当該他方の第２シームテープ８を上記フライシート４に貼り付けている。
【００２９】
上記第２シームテープ８の幅方向片側に位置する領域Ｒ２は、幅方向に切り目Ｃ２を２つ入れることにより上記紐６に対応して当該紐６の裏面側に貼り付く紐裏面側対応部８ａと上記紐６に対応しない紐裏面側非対応部８ｂとにそれぞれ分けられている。
【００３０】
そして、上記第１シームテープ７の幅方向一方側の紐表面側非対応部７ｂと一方の上記第２シームテープ８の紐裏面側非対応部８ｂとは、互いに重なり合った状態で上記フライシート４に貼り付けられるようになっている。
【００３１】
また、上記第１シームテープ７の幅方向他方側の紐表面側非対応部７ｂと他方の上記第２シームテープ８の紐裏面側非対応部８ｂとは、互いに重なり合った状態で上記フライシート４に貼り付けられるようになっている。
【００３２】
次に、上記フライシート４に取り付けられた紐６周辺に防水処理を施す方法について説明する。
【００３３】
まず、図３に示すように、第１シームテープ７が上記シート縫製用ステッチ列９及び上記紐固定用ステッチ列２０の両方を覆うように、且つ、上記紐６を表面側から跨ぐように第１シームテープ７を上記フライシート４に貼り付ける。
【００３４】
次いで、図４に示すように、第１シームテープ７の幅方向一方側において紐６の両側端縁に対応する位置に上記シート縫製用ステッチ列９及び上記紐固定用ステッチ列２０に届くか届かない位置まで２つの切り目Ｃ１を入れ、第１シームテープ７の幅方向一方側の領域Ｒ１を紐６に対応して当該紐６の表面側に貼り付く紐表面側対応部７ａと紐６に対応しない紐表面側非対応部７ｂとに分けるとともに、上記第１シームテープ７の幅方向一方側において上記紐６の表面に貼り付いた部分が反り返るように上記シート縫製用ステッチ列９及び上記紐固定用ステッチ列２０を境に紐６の一方側を他方側に折り返す。
【００３５】
しかる後、図５に示すように、一方の第２シームテープ８を当該一方の第２シームテープ８の幅方向片側が上記第１シームテープ７の幅方向一方側の領域Ｒ１に重なるように、且つ、上記紐６の折り返した部分を跨ぐように上記フライシート４に貼り付ける。すると、上記紐６における第１シームテープ７の一方の領域Ｒ１における紐表面側対応部７ａが貼り付けられた箇所の裏面側に一方の第２シームテープ８の一部が貼り付く。
【００３６】
その後、図６に示すように、フライシート４に貼り付けた一方の第２シームテープ８の幅方向片側において上記２つの切り目Ｃ１に対応する位置にそれぞれ切り目Ｃ２を入れ、一方の第２シームテープ８の幅方向片側の領域Ｒ２を紐６に対応して当該紐６の裏面側に貼り付く紐裏面側対応部８ａと紐６に対応しない紐裏面側非対応部８ｂとに分けるとともに、折り返した紐６を展開する。このとき、一方の第２シームテープ８の領域Ｒ２における紐裏面側非対応部８ｂが第１シームテープ７の一方の領域Ｒ１における紐表面側非対応部７ｂに重なった状態でフライシート４に貼り付く。
【００３７】
次に、図７に示すように、第１シームテープ７の幅方向他方側において紐６の両側端縁に対応する位置に上記シート縫製用ステッチ列９及び上記紐固定用ステッチ列２０に届くか届かない位置まで２つの切り目Ｃ１を入れ、第１シームテープ７の幅方向他方側の領域Ｒ１を紐６に対応して当該紐６の表面側に貼り付く紐表面側対応部７ａと紐６に対応しない紐表面側非対応部７ｂとに分けるとともに、上記第１シームテープ７の幅方向他方側において上記紐６の表面に貼り付いた部分が反り返るように上記シート縫製用ステッチ列９及び上記紐固定用ステッチ列２０を境に紐６の他方側を一方側に折り返す。
【００３８】
次いで、図８に示すように、他方の第２シームテープ８を当該他方の第２シームテープ８の幅方向片側が上記第１シームテープ７の幅方向他方側の領域Ｒ１に重なるように、且つ、上記紐６の折り返した部分を跨ぐように上記フライシート４に貼り付ける。すると、上記紐６における第１シームテープ７の他方の紐表面側対応部７ａが貼り付けられた箇所の裏面側に他方の第２シームテープ８の一部が貼り付く。
【００３９】
そして、図９に示すように、フライシート４に貼り付けた他方の第２シームテープ８の幅方向片側において紐６の両側端縁に対応する位置に２つの切り目Ｃ２を入れ、他方の第２シームテープ８の幅方向片側の領域Ｒ２を紐６に対応して当該紐６の裏面側に貼り付く紐裏面側対応部８ａと紐６に対応しない紐裏面側非対応部８ｂとに分けるとともに、折り畳んだ紐６を展開する。このとき、他方の第２シームテープ８の領域Ｒ２における紐裏面側非対応部８ｂが第１シームテープ７の他方の領域Ｒ１における紐表面側非対応部７ｂに重なった状態でフライシート４に貼り付く。
【００４０】
このように、本発明の実施形態１によると、第１シームテープ７によって紐６の表面とフライシート４とが互いに繋がるだけでなく、２つの第２シームテープ８によって紐６の裏面とフライシート４とが互いに繋がるので、第１シームテープ７に対してフライシート４から離間する方向に力が加わった際、第１シームテープ７だけでなく両第２シームテープ８も加えた３つのシームテープの粘着力によって第１シームテープ７をフライシート４側に引っ張るようになる。したがって、紐６をフレーム体２に括り付ける作業を繰り返し行っても、紐６がフライシート４から離間しなくなり、雨水や結露がシート縫製用ステッチ列９や紐固定用ステッチ列２０を介して紐６の裏面とフライシート４との間からテント１内部に浸入するといったことを防ぐことができる。
【００４１】
また、第２シームテープ８は、紐６の裏面とフライシート４とに貼り付いているので、第２シームテープ８が紐６の裏面とフライシート４との間を橋絡するようになり、もし仮に、雨水や結露がシート縫製用ステッチ列９を介して紐６の裏面とフライシート４との間に浸入したとしても、紐６の裏面とフライシート４との間を橋絡する第２シームテープ８によって雨水や結露がそれ以上テント１内部に浸入することができない。
【００４２】
また、第１シームテープ７及び第２シームテープ８の紐６に隣り合う部分がフライシート４に重なって貼り付けられるので、第１及び第２シームテープ７，８に対してフライシート４から離間する方向に力が加わっても、第１及び第２シームテープ７，８のうちのフライシート４側に位置する第１シームテープ７がもう一方の第２シームテープ８によって押さえ付けられてフライシート４から剥がれ難くなる。したがって、紐６によって第１及び第２シームテープ７，８に対してフライシート４から離間する方向に力が加わっても、第１及び第２シームテープ７，８がフライシート４から剥がれて紐６の裏面とフライシート４との間に隙間ができてしまうといったことを確実に防ぐことができる。
【００４３】
また、本発明の実施形態１に係る紐６周辺の防水処理は、雨水が直接降り注いだり結露が発生し易い状態で使用されるフライシート４に紐が取り付けられた場合であっても確実に雨水や結露をテント１内部に浸入させないようにできる。
【００４４】
また、紐固定用ステッチ列２０を介して雨水や結露がテント１内に浸入するのをフライシート４におけるシートの繋ぎ合わせ部分から雨水や結露がテント１内に浸入するのを防ぐための第１シームテープ７を利用して防ぐので、紐固定用ステッチ列２０とシート縫製用ステッチ列９とに対してそれぞれ防水用のテープを用意する必要が無く、部品点数を抑えてコストを低く抑えることができる。
《発明の実施形態２》
図１０は、本発明の実施形態２を示す。この実施形態２では、紐６周辺に防水処理を施す際に第１及び第２シームテープ７，８をフライシート４に貼り付ける順番が逆になっている点、及び、第１シームテープ７の領域Ｒ１における紐表面側非対応部７ｂが第２シームテープ８の領域Ｒ２における紐裏面側非対応部８ｂに上から重なってフライシート４に貼り付けられる点が実施形態１と異なるだけで、その他は実施形態１と同じであるため、以下、詳細な説明を省略する。
【００４５】
したがって、本発明の実施形態２によると、実施形態１と同様に、テント１の組み立てを繰り返し行っても、雨水や結露がテント１のフライシート４に形成された紐固定用ステッチ列２０及びシート縫製用ステッチ列９を介してテント１内部に浸入するといったことを確実に防ぐことができる。
《発明の実施形態３》
図１１は、本発明の実施形態３を示す。この実施形態３では、紐６の幅方向の長さより紐表面側対応部７ａの方が長くなるように第１シームテープ７に切り目Ｃ１を入れて紐表面側対応部７ａを形成するとともに、当該紐表面側対応部７ａの長さに合わせて第２シームテープ８に切り目Ｃ２を入れて紐裏面側対応部８ａを形成した点が実施形態１と異なるだけで、その他は実施形態１と同じであるため、以下、詳細な説明を省略する。
【００４６】
したがって、本発明の実施形態３によると、紐表面側対応部７ａを形成する２つの切り目Ｃ１間の長さ及び紐裏面側対応部８ａを形成する２つの切り目Ｃ２間の長さが同じになるので、第１シームテープ７及び第２シームテープ８の粘着部分が剥き出しにならず、剥き出しになった粘着部分がフライシート４に付着して紐６を第２フレーム２ｂに括り付ける際に邪魔になるといったことを防ぐことができる。
【００４７】
また、紐表面側対応部７ａを形成する２つの切り目Ｃ１間の長さ及び紐裏面側対応部８ａを形成する２つの切り目Ｃ２間の長さが紐６の幅より長いので、第１シームテープ７の紐表面側対応部７ａと第２シームテープ８の紐裏面側対応部８ａとがそれぞれ紐６の表裏面に貼り付いた際、紐表面側対応部７ａの両端部分と紐裏面側対応部８ａの両端部分とが紐６からはみ出て互いに直接貼り合わされるようになる。したがって、紐６の全周を紐表面側対応部７ａと紐裏面側対応部８ａとで囲うようになり、紐固定用ステッチ列２０とシート縫製用ステッチ列９を介して紐６の裏面とフライシート４との間から浸入する雨水や結露を確実にテント１内部に浸入させないようにできる。
【００４８】
尚、本発明の実施形態１〜３では、フライシート４のシート縫製用ステッチ列９が形成されている部分に取り付けられた紐６周辺において防水処理を施しているが、これに限らず、例えば、インナーテント３に紐６が紐固定用ステッチ列２０で取り付けられている場合、その紐６周辺の防水処理を本発明の方法によって行ってもよい。
【００４９】
また、本発明の実施形態１〜３では、第１及び第２シームテープ７，８を用いて紐６周辺に防水処理を施しているが、第１及び第２シームテープ７，８はその他の粘着テープであってもよく、ビニールテープ等を用いて紐６をフライシート４に取り付けるようにしてもよい。
【００５０】
また、本発明の実施形態１〜３のように紐６をフライシート４に取り付けた後、さらに第１シームテープ７に重なるようにシームテープ等を貼り付けるようにしてもよい。
【００５１】
尚、図２〜図１２では、便宜上、フライシート４、紐６、第１及び第２シームテープ７，８の厚みを誇張して記載している。
【００５２】
また、図１では、紐６が１つしか記載されていないが、紐の数は限定されるものではなく、複数でも良い。
【産業上の利用可能性】
【００５３】
本発明は、シートや複数本のフレーム等を用いて組み立てるテントに適している。
【符号の説明】
【００５４】
１        テント
２        フレーム体
２ｂ        第２フレーム（フライシート用フレーム）
３        インナーテント（シート体）
４        フライシート（シート体）
６        紐
７        第１シームテープ（第１粘着テープ）
７ａ        紐表面側対応部
７ｂ        紐表面側非対応部
８        第２シームテープ（第２粘着テープ）
８ａ        紐裏面側対応部
８ｂ        紐裏面側非対応部
９        シート縫製用ステッチ列
２０        紐固定用ステッチ列
Ｃ１、Ｃ２        切り目
【図１】
0006511660.tif 000002
【図２】
0006511660.tif 000003
【図３】
0006511660.tif 000004
【図４】
0006511660.tif 000005
【図５】
0006511660.tif 000006
【図６】
0006511660.tif 000007
【図７】
0006511660.tif 000008
【図８】
0006511660.tif 000009
【図９】
0006511660.tif 000010
【図１０】
0006511660.tif 000011
【図１１】
0006511660.tif 000012
【図１２】
0006511660.tif 000013